(57)【要約】      （修正有）【課題】長い杖状の本体と握り部分内部に、刺した落ち葉をワンプッシュで押し放つことができるシステムを備えた固い葉、大きい葉、落ち葉釣り清掃具を提供する。【解決手段】長い杖状の本体１の下部先端を固い葉、大きい葉の落ち葉が刺さる程度に細くして先っ方に丸味を持たせ、上部に長めの握り部分を設け、その内部に先端を上下に行き来する円盤形カバー８の稼動システムを備え、握り部分の下部の前後より稼動システムを円盤形カバー８に伝える細長くて強い連結棒５が出て、本体の数カ所に付属する案内板の中を潜らせて円盤形カバー８に連結し、本体最上部の押しボタン７と一体のロック９を解除すると、バネ１０が延びて円盤カバー８が上がって落ち葉が刺せる状態になり、押しボタン７を押すとバネ１０が縮んで円盤カバー８が下がって刺した落ち葉を押し放つことができ、さらに押すとロックされることを特徴とする、固い葉、大きい葉、落ち葉釣り清掃具。【選択図】図３
2013227834.tif 000002
【特許請求の範囲】
【請求項１】
長い杖状の本体と握り部分内部に、刺した落ち葉をワンプッシュで押し放つことができるシステムを備えた固い葉、大きい葉、落ち葉釣り清掃具において長い杖状の本体の下部先端を固い葉、大きい葉の落ち葉が刺さる程度に細くして先っ方に丸味をつけ、
上部に長めの握り部分を設け、その握り部分内部に先端を上下に行き来する円盤形カバーの稼動システムを備えて、握り部分の下部の前後より稼動システムを円盤形カバーに伝える細長くて強い連結棒が出て、本体の数ヶ所に付属する案内板の中を潜らせて円盤形カバーに連結し、
本体最上部の押しボタンと一体のロックを解除すると、バネが延びて円盤カバーが上がって落ち葉が刺せる状態にし、
押しボタンを押すと、バネが縮んで円盤カバーが下がって、刺した落ち葉をワンプッシュで押し放つことができて、さらに押すとロックされ、
本発明は以上のような長い杖状の本体とその握り部分内部に備えたひざ、腰を曲げずに熊手や箒類では不可能な作業を楽にできるシステムとで構成される固い葉、大きい葉、落ち葉釣り清掃具。
【発明の詳細な説明】
【技術分野】
【０００１】  本発明は熊手や竹ぼうきでは掃きにくい広い範囲に散らばった、固い葉、大きい葉の落ち葉を杖状の本体先端で刺し集めて釣り上げた落ち葉をゴミ袋などにワンプッシュで放つことができる固い葉、大きい葉、落ち葉釣り清掃具に関するものである。
【背景技術】
【０００２】  従来、固い葉、大きい葉の落ち葉を掃く清掃具としては、何もなく、強いて言えば大きな熊手か、竹ぼうきくらいだった。
【発明の概要】
【発明が解決しようとする課題】
【０００３】  そのために、次のような問題点がある。
（イ）落ち葉掃き、落ち葉掃除、と言えば、先ず、熊手や竹ぼうきが頭に浮かぶが、大き    い葉でも紅葉して秋に一斉に散るのなら、熊手やほうき類でも使える。
ところが、常緑樹の固い葉、大きい葉は初夏から秋にかけて、若い葉が生長しなが    ら古い葉が毎朝庭を見ると、あちらこちら広い範囲に点々と落ち、近くの低木の枝や    芝生、草花の株間などにも舞い落ちているので、熊手や竹ぼうきでは、効率が悪くて    使えなかった。
（ロ）たとえば、いまから４０年ほど前に植えた家の、たいさんぼくの木、がまだ小さく    て、落ち葉が少ない頃は、しゃがんだり立ったりを繰り返しながら手で、１枚、２枚    と拾っていた。
（ハ）段々と木が育って落葉が多くなり大変なので試しに鎌の先でチョンチョンと数枚刺    してはゴミ容器などに集めて見たが、鎌の柄は短い上に刃が直角に付いているのでし    ゃがまなくては刺し難かったが、１枚ずつ手で拾うよりは少しはましだった。
（ニ）柄が短い鎌では身の回りしか届かないのでしゃがんだまますり足で、２歩、３歩進    んだり、左右に移動する動作を繰り返すと、これらは、ひざ、腰には１番悪い負担が    かかるので、何とかしないと、と悩んでいた。
（ホ）主人が、古いスキー用ストックを物置から捜して持って来てくれたので、ストック    で刺してみたら、目からうろこ、と言う言葉は、こんなことか、と思うほど良く刺さ    り、ひざ、腰への負担も全然ないので、これが私の固い葉、大きい葉、落ち葉釣り清    掃具の始まりとなった。
（ヘ）落ち葉釣りは、昔のスキーストック（最近のは、先っ方がダメ）や篠竹などの先端    でチョンチョンと数枚刺して釣り上げるだけなら用が足せるが、釣り上げた葉をゴミ    袋、ゴミ容器などに入れるとき、長いストックの握りを持っているので、もう一方の    手を先端に延ばして葉を引き抜くのは手が延びきっているので力が入り難くて大変だ    った。
（ト）その都度、握っている手を途中に持ち変えて、他方の手で葉を抜き取って、また、    途中で持ち変えて、握りの所へ持ち変えると、両手に二度手間がかかり、大木になっ    て落ち葉が多くなったので、手元でワンプッシュで、ゴミ袋やゴミ容器の上で葉を落    せたらどんなに楽か、どこをどうしたらそうできるか、と何時も図のようなことを想    像しながら作業していた。
（チ）熊手やほうきは、なぜ固い葉、大きい葉の掃除に向かないか、使い難いか、それは    、たとえば公園の広い庭に固くて大きな葉っぱの大木があって、その落ち葉は木の高    さや、風や、地熱の上昇などの影響で思ったより広い範囲に舞い落ちる。
（リ）小さな、または軽い落ち葉が、地面が見えないほどあるときは、熊手やほうきは有    効だが、固くて大きな葉が２〜３枚、４〜５枚と広い範囲に点々とあるのを大きな熊    手で掻くのは、最初、熊手にかかった葉が数枚ずつ増えながら落ち葉のない地面も掻    きかき、その上熊手は穂先がややアーチ形で先端がそれぞれ直角くらいにガチッと曲    がっているので、柄が長くても先端全体を地面に付けるには、腰を曲げて上体を前傾    させながら後退りしなくてはならず、公園の係りの人や、ガーデンボランティアの人    達もさぞ大変なことである。
（ヌ）最近、公園の落ち葉掃除は、空気を強く吹き付けて落ち葉を集めるそうだが、固い    葉、特に常緑樹の葉は、広い範囲に散ら張っているので効率は悪いと思うし、地面に    ピタッと張り付いた葉は、ほうきで何回掃こうとしても空振りになるくらい頑固なの    で、ズバリ、刺して集めるのが最良である。
本発明は、これらの問題点を解決するためになされたものである。
【課題を解決するための手段】
【０００４】  長い杖状の本体の下部先端を固い葉、大きい葉の落ち葉が刺さる程度の細さで、安全のために先っ方に丸味を持たせ、上部に長めの握り部分を設け、その握り部分の内部に先端を上下に行き来する円盤形カバーの稼動システムを備えて、握り部分下部の前後より稼動システムを円盤形カバーに伝える細長い強い連結棒が出て、本体の数カ所に付属する案内板の中を潜らせて円盤形カバーに連結する。
本体最上部の押しボタンと一体のロックを解除すると、円盤カバーが上がって落ち葉が刺せて、押しボタンを押すと、円盤カバーが下がって刺した落ち葉が押し放たれて更に押すとロックされる。
本発明は以上のような刺して釣り上げた落ち葉をワンプッシュで押し放つことができるシステムと杖のような形体の本体とで構成される、固い葉、大きい葉、落ち葉釣り清掃具である。
【発明の効果】
【０００５】  この落ち葉釣り清掃具があれば、
（イ）普通に立ったまま細めの先端で広い範囲に散ら張っている落ち葉をチョンチョンと    刺し進んで適当な枚数、又はゴミ袋、ゴミ容器のある所で釣り上げて、本体上部の押    しボタンを押すだけで落ち葉集めができる。
（ロ）（イ）を繰り返すだけでひざや腰を曲げないで済むし、熊手やほうきのように落ち    葉のない地面まで掻いたり掃いたりの無駄な動作がないので、体全体、特に足腰の負    担が軽減できる。
（ハ）落ち葉釣り具の本体と握り部分が長いので、自分の身長に合った握り安い所が選べ    るし、他の植木の枝に引っ掛かっている葉を落したり、しだれた枝の下とか草花の株    間に入った落ち葉、足が踏み込めない所の向こう側の落ち葉にも届いて刺すことがで    きる。
（ニ）特に芝生は先端が刺さる回数が多ければ芝生の大事な手入れの一つである根切り作    業ができて一石二鳥である。
（ホ）固い葉、大きい葉の木は果物も含めて色々あるが特に、たいさんぼくは葉が裏返し    に落ちるとまるで、トレーのようになって、雨水や散水を溜めて、そのまま置くと自    然蒸発まで数日かかるので、蚊やナメクジ、カビなどの発生源になるのを何時も心配    していたが、作業が楽になれば、夏の暑い時でもさっと片付くので安心できる。
（ヘ）この落ち葉釣り具は、固い葉、大きい葉だけでなく柔らかい葉や小さい葉でも刺さ    るが、小さな葉は命中が難しく、良く刺さると楽しくなるので、休日などに親子で遊    びながら落ち葉掃除をすれば父、子のコミュニケーションがとれる。
【図面の簡単な説明】
【０００６】
【図１】  本発明の落ち葉釣り清掃具の正面図である。
【図２】  本発明使用前、後の側面と一部断面図である。
【図３】  本発明使用時の側面図と一部断面図である。
【図４】  本発明の図１のＡ−Ａ断面図である。
【図５】  本発明の図２のＢ−Ｂ断面図である。
【図６】  本発明の図３のＣ−Ｃ断面図である。
【発明を実施するための形態】
【０００７】  以下、本発明の実施の形態について説明する。
長い杖状の本体の下部先端を、固い葉、大きい葉の落ち葉が刺さる程度に細くして、安全のため先っ方に丸味をつける。
上部に長めの握り部分を設けて、その握り部分の内部に先端を上下に行き来する円盤形カバーの稼動システムを備える。
握り部分下部の前後より稼動システムを円盤形カバーに伝える細長くて強い連結棒が出て、本体の数カ所に付属する案内板の中を潜らせて円盤形カバーに連結する。
本体最上部の押しボタンとロックは一体でシステムの開閉を司る。
本発明は以上のような構成である。
これを使用するときは、
（イ）本体最上部の押しボタンのロック（図２−９）を解除するとバネが延びて（図３−    １０）円盤形カバーが上がって（図３−８）落ち葉を刺せる状態になる。
（ロ）刺し集めた落ち葉を釣り上げてゴミ袋、ゴミ容器等の上で押しボタンを押すと、バ    ネが縮んで（図２−１０）円盤形カバーが下がって（図２−８）落ち葉が解き放たれ    る。
（ハ）そのまま押している指をゆるめれば自然にバネが延びて円盤形カバーが上がり、何    回でも繰り返し落ち葉釣りができて、終了するときは、最後に葉を解き放したらその    まま、さらに押すとロックされる。
（ニ）円盤カバーは、
１．不使用時に尖った先端の安全カバーとして、
２．刺した落ち葉を解き放つときのフリーカバーとして、
３．落ち葉を刺すとき、これ以上刺した葉が上に行かないようにストップカバーとして    、
以上一部品が三役に使用できる。
【符号の説明】
【０００８】１  本体
２  先端
３  握り部分
４  稼動システム
５  連結棒
６  接続位置
７  押しボタン
８  円盤形カバー
９  ロック
１０  バネ
１１  案内板
【図１】
2013227834.tif 000003
【図２】
2013227834.tif 000004
【図３】
2013227834.tif 000005
【図４】
2013227834.tif 000006
【図５】
2013227834.tif 000007
【図６】
2013227834.tif 000008